【手続補正書】
【提出日】平成28年1月22日(2016.1.22)
【手続補正１】
【補正対象書類名】特許請求の範囲
【補正対象項目名】全文
【補正方法】変更
【補正の内容】
【特許請求の範囲】
【請求項１】
判定条件の成立に基づいて遊技の当否を判定する当否判定手段と、
遊技者が識別可能な識別情報を、前記当否判定手段による当否判定結果に基づく変動態様で変動表示し、停止表示した識別情報で前記当否判定結果を報知可能な表示手段と、
前記表示手段に表示する演出を複数の演出態様から選択して表示する演出態様選択手段と、
遊技者により操作され、前記複数の演出態様の１つである操作演出態様が有する有効期間中に前記操作が有効になる操作手段と、を備えて、
前記有効期間中の前記操作手段の操作回数が、基準達成回数に達した場合には、成功を示唆する達成演出を前記操作演出態様中に前記表示手段にて表示する遊技機において、
前記有効期間は、第１有効期間と、その第１有効期間後の第２有効期間とを含んでなり、これら前記第１有効期間と前記第２有効期間とを含む前記有効期間中の前記操作手段の操作回数の合計が前記基準達成回数に達した場合に前記達成演出が実行され、
前記第１有効期間中の前記操作手段の操作回数である第１期間操作回数が多いほど、前記基準達成回数が多くなるように前記第１有効期間の経過後に、前記基準達成回数を設定する前記基準回数設定手段を備えたことを特徴とする遊技機。
【請求項２】
前記基準回数設定手段は、前記第１期間操作回数に基づいて、前記第２有効期間中の前記操作手段の操作回数である第２期間操作回数を推定し、
前記第１期間操作回数と前記第２期間操作回数とに基づいて前記設定する前記基準達成回数を演算するように構成されたことを特徴とする請求項１に記載の遊技機。
【請求項３】
前記基準回数設定手段は、前記第１有効期間中の前記操作手段の繰り返し操作速度と同じ繰り返し操作速度を維持して前記有効期間の終了まで前記操作手段が操作されたと仮定したときに到達し得る推定操作回数を演算し、前記基準達成回数を前記推定操作回数以下に設定するように構成されたことを特徴とする請求項１又は２に記載の遊技機。
【請求項４】
前記基準回数設定手段は、予め設定された第１基準回数と前記第１期間操作回数とを比較し、前記第１期間操作回数が前記第１基準回数より多いほど前記基準達成回数が多くなるように設定することを特徴とする請求項１乃至３の何れか１の請求項に記載の遊技機。
【請求項５】
前記基準回数設定手段は、予め設定された第１基準回数と前記第１期間操作回数とを比較し、前記第１期間操作回数が前記第１基準回数より少ないほど前記基準達成回数が少なくなるように設定することを特徴とする請求項１乃至４の何れか１の請求項に記載の遊技機。
【手続補正２】
【補正対象書類名】明細書
【補正対象項目名】０００７
【補正方法】変更
【補正の内容】
【０００７】
上記目的を達成するためになされた請求項１の発明に係る遊技機は、判定条件の成立に基づいて遊技の当否を判定する当否判定手段と、遊技者が識別可能な識別情報を、当否判定手段による当否判定結果に基づく変動態様で変動表示し、停止表示した識別情報で当否判定結果を報知可能な表示手段と、表示手段に表示する演出を複数の演出態様から選択して表示する演出態様選択手段と、遊技者により操作され、複数の演出態様の１つである操作演出態様が有する有効期間中に操作が有効になる操作手段と、を備えて、有効期間中の操作手段の操作回数が、基準達成回数に達した場合には、成功を示唆する達成演出を操作演出態様中に表示手段にて表示する遊技機において、有効期間は、第１有効期間と、その第１有効期間後の第２有効期間とを含んでなり、これら第１有効期間と第２有効期間とを含む有効期間中の操作手段の操作回数の合計が基準達成回数に達した場合に達成演出が実行され、第１有効期間中の操作手段の操作回数である第１期間操作回数が多いほど、基準達成回数が多くなるように第１有効期間の経過後に、基準達成回数を設定する基準回数設定手段を備えたところに特徴を有する。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
［請求項１の発明］
請求項１の遊技機によれば、有効期間は、第１有効期間と、その第１有効期間後の第２有効期間とを含んでなり、これら第１有効期間と第２有効期間とを含む有効期間中の操作手段の操作回数の合計が基準達成回数に達した場合に達成演出が実行される。そして、第１有効期間中の操作手段の操作回数である第１期間操作回数が多いほど、基準達成回数が多くなるように第１有効期間の経過後に、基準達成回数が設定される。換言すれば、第１期間操作回数が少ないほど、基準達成回数が少なくなるように第１有効期間の経過後に、基準達成回数が設定される。
【手続補正５】
【補正対象書類名】明細書
【補正対象項目名】００１９
【補正方法】削除
【補正の内容】
【手続補正６】
【補正対象書類名】明細書
【補正対象項目名】００３１
【補正方法】変更
【補正の内容】
【００３１】
各始動入賞口１４Ａ，１４Ｂに遊技球が入賞すると、各始動入賞口１４Ａ，１４Ｂ内に設けた始動口センサ１４Ｗ１，１４Ｗ２（図３参照）が遊技球を検出し、その検出信号に基づいて、例えば、４個の遊技球が賞球として上皿２７Ａに払い出されると共に、特別図柄当否判定が行われる。その判定結果は、特別図柄表示装置１４Ｘ（図３参照）にて表示されると共に、液晶表示装置１３（本発明の「表示手段」に相当する）の表示画面３４において特別図柄１３Ａ，１３Ｂ，１３Ｃ（本発明の「識別情報」に相当する）の組み合わせで表示される。
【手続補正７】
【補正対象書類名】明細書
【補正対象項目名】０１２４
【補正方法】変更
【補正の内容】
【０１２４】
同じくＡパターン又はＤパターンにおいて、第１有効期間Ｅ４（Ｔ４＝１０秒）の間に、例えば、操作ボタン２９が７回（Ｐ１＝７）しか操作されなかった場合には、第２有効期間Ｅ５（Ｔ５＝１０秒）の間に操作することが可能な第２期間操作回数Ｐ２は、「７回」と推定される。即ち、有効期間Ｅ２の開始から終了まで、同じ繰り返し操作速度を維持して操作ボタン２９が操作されたと仮定したときに到達し得る推定操作回数Ｐ３（＝Ｐ１＋Ｐ２）は、１４回となる。
【手続補正８】
【補正対象書類名】明細書
【補正対象項目名】０１５０
【補正方法】変更
【補正の内容】
【０１５０】
同じくＡパターン又はＤパターンにおいて、第１有効期間Ｅ４（Ｔ４＝１０秒）の間に、例えば、操作ボタン２９が７回（Ｐ１＝７）しか操作されなかった場合には、有効期間Ｅ２の開始から終了まで、同じ繰り返し操作速度を維持して操作ボタン２９が操作された場合に有効期間Ｅ２の間に到達し得る推定操作回数Ｐ３は１４回であるから、基準達成回数を１４回以下に設定する。
【手続補正９】
【補正対象書類名】明細書
【補正対象項目名】０１５９
【補正方法】変更
【補正の内容】
【０１５９】
１０    パチンコ遊技機
１３    液晶表示装置（表示手段）
２９    操作ボタン
３４Ｇ    グラフ
５７    サブ制御基板
Ｅ１    待機期間
Ｅ２    有効期間
Ｅ３    操作対応演出期間
Ｅ４    第１有効期間
Ｅ５    第２有効期間
Ｋ１    第１基準回数
Ｋ２    第２基準回数
Ｋ３    基準達成回数
Ｐ１    第１期間操作回数
Ｐ２    第２期間操作回数
Ｐ３    推定操作回数
ＰＧ２    サブ制御基板メインプログラム